(57)【特許請求の範囲】
【請求項１】
造影剤撮像を行う磁気共鳴撮像装置において、
造影剤の投入時からの経過時間を計測し管理する時間管理部と、
造影剤の投入後に行われる前期撮像の後、所定の空き時間を置いて行われる後期撮像の開始時刻を、造影剤の投入からの経過時間として設定すると共に、前記前期撮像、前記空き時間及び前記後期撮像から構成される１つの第１の撮像管理単位を、前記空き時間を含まない、前期撮像単位と後期撮像単位に分割すると共に、前記前期撮像及び前記後期撮像とは異なる他の撮像を前記空き時間の間に実行させるよう、前記他の撮像の開始時刻を造影剤の投入からの経過時間として設定する設定部と、
前記時間管理部で計測した経過時間と、前記設定部で設定した開始時刻とに基づいて、前記後期撮像を開始すると共に、前記他の撮像に対して設定された開始時刻と、前記時間管理部で計測した経過時間に基づいて前記他の撮像を開始する制御部と、
前記時間管理部で計測した経過時間と、前記設定部で設定した開始時刻とを少なくとも表示する表示部と、
を備えたことを特徴とする磁気共鳴撮像装置。
【請求項２】
前記設定部にて設定された前記後期撮像の開始時刻は、ユーザ操作によって変更可能である、
ことを特徴とする請求項１に記載の磁気共鳴撮像装置。
【請求項３】
前記表示部は前記設定部で設定された前記他の撮像の開始時刻をさらに表示し、
前記他の撮像の開始時刻はユーザ操作によって変更可能である、
ことを特徴とする請求項１に記載の磁気共鳴撮像装置。
【請求項４】
前記設定部は、
分割した前期撮像単位と後期撮像単位とを１つのグループとして管理し、グループ内の任意の１つの撮像に対する撮像条件が変更された場合は、変更された撮像以外の撮像に対しても、前記撮像条件の変更を自動的に反映する、
ことを特徴とする請求項１に記載の磁気共鳴撮像装置。
【請求項５】
前記表示部は、
前記他の撮像の撮像時間が前記空き時間よりも長い場合は、その旨の警告表示をする、
ことを特徴とする請求項１に記載の磁気共鳴撮像装置。
【請求項６】
前記設定部は、
前記他の撮像の撮像時間が前記空き時間よりも長い場合は、前記他の撮像の撮像時間が前記空き時間以下となるように、前記他の撮像の撮像条件のパラメータ値を自動調整する、
ことを特徴とする請求項１に記載の磁気共鳴撮像装置。
【請求項７】
前記設定部は、
予め設定されている前記パラメータ種類の優先順位と、予め設定されているパラメータ値の下限値とを参照し、前記他の撮像の撮像時間が前記空き時間以下となるように、前記優先順位の高いパラメータ種類から前記パラメータ値を前記下限値まで順次減少させていく、
ことを特徴とする請求項６に記載の磁気共鳴撮像装置。
【請求項８】
前記パラメータ種類は、
位相エンコード数、パラレルイメージング撮像における位相エンコード数の削減係数、スライス数、及び励起パルスの間隔の少なくとも１つを含む、
ことを特徴とする請求項７に記載の磁気共鳴撮像装置。
【請求項９】
前記表示部は、
前記パラメータ種類の総てのパラメータ値を前記下限値まで減少させても前記他の撮像の撮像時間が前記空き時間以下とならない場合は、その旨の警告表示をする、
ことを特徴とする請求項７に記載の磁気共鳴撮像装置。
【請求項１０】
複数の患者を入れ替えながら夫々の患者に対して造影剤撮像を行う場合において、
前記時間管理部は、
前記造影剤の投入時からの経過時間を、前記夫々の患者に対して計測し管理し、
前記設定部は、
前記夫々の患者に対する撮像条件を設定すると共に、前記夫々の患者に対する前記後期撮像の開始時刻を、前記夫々の患者の造影剤の投入からの経過時間として設定し、
前記表示部は、
前記患者が入れ替わると、入れ替え前の患者の撮像条件から入れ替え後の患者の撮像条件に切り換えて表示する一方、患者が入れ替わった場合においても、夫々の患者に対する造影剤の投入時からの経過時間と、夫々の患者に対する造影剤の投入時を基準とする前記後期撮像の開始時刻とを常に表示する、
ことを特徴とする請求項１に記載の磁気共鳴撮像装置。
【請求項１１】
前記複数の患者を１人の第１の患者と１人以上の第２の患者とするとき、前記夫々の患者に対する造影剤撮像は、
第１の患者の前期撮像が終了した後、前記第１の患者から第２の患者に入れ替え、前記第１の患者の空き時間の間に前記第２の患者の前記前期撮像を行い、前記第２の患者の前記前期撮像が終了した後、前記第１の患者の後期撮像を行う、ように実施される、
ことを特徴とする請求項１０に記載の磁気共鳴撮像装置。
【請求項１２】
前記第１の患者の後期撮像の開始が前記設定部で設定した前記開始時刻に間に合うか否かを判定する判定部、
をさらに備え、
前記表示部は、
前記第１の患者の後期撮像の開始が前記設定部で設定した前記開始時刻に間に合わないと判定された場合、その旨の警告表示を行う、
ことを特徴とする請求項１１に記載の磁気共鳴撮像装置。
【請求項１３】
前記第２の患者の前期撮像の終了予測時刻と、前記設定部で設定した前記第１の患者の後期撮像の開始時刻とから、前記第２の患者から前記第１の患者の入れ替えに使える時間を求める判定部、
をさらに備え、
前記表示部は、前記判定部で求めた入れ替えに使える時間を表示する、
ことを特徴とする請求項１１に記載の磁気共鳴撮像装置。
【請求項１４】
前記造影剤撮像はガドリニウム造影剤を用いたダイナミック撮像であり、
前記前期撮像は１または複数の早期相の撮像であり、前記後期撮像は後期相の撮像である、
ことを特徴とする請求項１乃至９のいずれかに記載の磁気共鳴撮像装置。
【請求項１５】
前記造影剤撮像は肝細胞診断用造影剤を用いた撮像であり、前記前期撮像は１または複数のダイナミック撮像相の撮像であり、前記後期撮像は肝細胞造影相の撮像である、
ことを特徴とする請求項１０乃至１３のいずれかに記載の磁気共鳴撮像装置。
【発明の詳細な説明】
【技術分野】
【０００１】
本発明の実施形態は、磁気共鳴撮像装置に関する。
【背景技術】
【０００２】
磁気共鳴撮像装置は、静磁場中に置かれた被検体の原子核スピンをラーモア周波数の高周波（ＲＦ：Radio Frequency）信号で励起し、励起に伴って被検体から発生する磁気共鳴信号から画像を再構成する撮像装置である。
【０００３】
磁気共鳴撮像において、被検体に造影剤を注入し、造影剤が血管系を通って腫瘍などの患部に入り込む過程を、早期相、後期相等の時間的な経過と共に撮像して診断する分野がある。この種の撮像を、造影剤を用いたダイナミック撮像と呼んでいる。磁気共鳴撮像装置によるダイナミック撮像には、従来からガドリニウム造影剤などが使用されている（例えば特許文献１等）。
【０００４】
一方、近年肝臓等の画像診断において、上記の血管系を介したダイナミック撮像に加えて、肝細胞自体に取り込まれる造影剤が新たに開発され、この造影剤（プリモビスト等と呼ばれる撮像剤）を用いた撮像法が普及しつつある。
【先行技術文献】
【特許文献】
【０００５】
【特許文献１】特開２００９−２７３８１５号公報
【発明の概要】
【発明が解決しようとする課題】
【０００６】
上記のダイナミック撮像においては、造影剤投入前、投入後における早期相、後期相等、複数のタイミングで一連の撮像を行う。この一連の撮像をここでは１つの「シリーズ」と呼ぶものとする。１シリーズの撮像では、撮像時期が投入前、早期相、後期相のように異なるものの、いずれも基本的に同じ撮像条件で撮像が行われる。ここで、撮像条件とは、撮像部位、撮像スライスの数や位置、解像度、等であり、これらの撮像条件と密接に関連するパルスシーケンスのパラメータを含む諸元のことである。
【０００７】
ダイナミック撮像のシリーズでは、造影剤投入前の撮像と早期相での撮像は、それぞれ１分程度の撮像が連続的に行われるものの、後期相の撮像をするためには、造影剤が腫瘍等の患部に取りこまれるまでの間、しばらく待つ必要がある。このため、早期相の撮像と後期相の撮像との間には、２−３分程度の空き時間が発生する。この空き時間の間、患者は寝台に横臥した状態でじっと次の撮像を待つことになる。
【０００８】
一方、１人の患者に対して造影剤を用いた検査を行う場合、上記のダイナミック撮像に加えて、他のシリーズの撮像を連続的に行う場合がしばしばある。例えば、造影剤投入前から後期相に到る一連のダイナミック撮像のシリーズを行った後、より解像度の高い撮像のシリーズを行う場合がある。
【０００９】
このような場合、ダイナミック撮像のシリーズにおける空き時間に、後から行われる他のシリーズの撮像の全部、或いは一部を実施することができれば、患者に対する撮像時間を全体として短縮することが可能となり、患者に対する負担も軽減することができる。
【００１０】
しかしながら、従来の磁気共鳴撮像装置では、シリーズ毎に独立した時間管理と撮像条件管理とを行っており、１つのシリーズの中に他のシリーズを組み込んで撮像することはできなかった。
【００１１】
他方、上述したプリモビスト等の造影剤を用いて肝細胞の診断を行う場合、造影剤を投入してからプリモビストが肝細胞に取り込まれるまでに２０分程度の待ち時間を必要とする。従来は、この２０分の間、患者は寝台の上でじっと時間の経過を待ち続けていた。２０分の時間があれば、患者を交代させ、他の患者の撮像の全部或いは一部を行うことが可能であり、そうすることによって同じ患者がずっと寝台の上で待ち続けるという負担を軽減することができるし、複数の患者の合計撮像時間を短縮することができる。
【００１２】
しかしながら、従来の磁気共鳴撮像装置では、患者毎に独立した時間管理と撮像条件管理を行っており、ある患者の撮像が総て終了するまでは、他の患者の撮像を組み込んで実施することはできなかった。敢えて複数の患者を入れ替えて撮像する場合には、患者毎に造影剤投入からの時間をストップウォッチ等を用いて管理する等、撮像技師の個人的管理手法に依存するしかなかった。
【００１３】
そこで、造影剤撮像の空き時間を効率よく利用することができるように、複数のシリーズの撮像、或いは複数の患者の撮像を組み合わせるための時間管理や撮像条件管理を実施できる磁気共鳴撮像装置が要望されている。
【課題を解決するための手段】
【００１４】
実施形態の磁気共鳴撮像装置は、造影剤撮像を行う磁気共鳴撮像装置において、造影剤の投入時からの経過時間を計測し管理する時間管理部と、造影剤の投入後に行われる前期撮像の後、所定の空き時間を置いて行われる後期撮像の開始時刻を、造影剤の投入からの経過時間として設定する設定部と、前記時間管理部で計測した経過時間と、前記設定部で設定した開始時刻とを少なくとも表示する表示部と、を備えたことを特徴とする。
【図面の簡単な説明】
【００１５】
【図１】磁気共鳴撮像装置の全体構成例を示す図。
【図２】実施形態の演算装置で実現される造影剤撮像管理制御部の機能ブロック図。
【図３】分割する前のダイナミック撮像シリーズと、空き時間に組み込む前の他の撮像シリーズの一例を示す図。
【図４】表示装置の画面の表示例を示す図。
【図５】１つの撮像シリーズの分割と、他の撮像シリーズの組み込み例を説明する図。
【図６】撮像開始時間の変更方法を説明する図。
【図７】分割したシリーズを同一グループとして管理し、グループ内の１つのシリーズの撮像条件（パラメータ）を他のシリーズの撮像条件に反映する手法の概念の説明図。
【図８】撮像シリーズ分割後の画面表示の他の例を示す図。
【図９】１つの撮像シリーズを３つに分割したときに画面表示例を示す図。
【図１０】撮像開始時刻の設定モードと、対応する撮像開始時刻の概念を示す図。
【図１１】空き時間に組み込もうとする撮像の撮像時間が空き時間より長いときに、警告し、或いは撮像時間を短縮する手法の概念の説明図。
【図１２】造影剤投入後の経過時間の表示例を示す図。
【図１３】設定した撮像開始時刻を実際の撮像開始時刻に更新して表示する例を示す図。
【図１４】プリモビスト系造影剤撮像のシーケンスの一例を示す図。
【図１５】複数の患者を入れ替えながらプリモビスト系造影剤撮像を行う例を説明する図。
【図１６】複数患者複合撮像を行うときの画面の表示内容（撮像開始前）の説明図。
【図１７】３人の患者を入れ替えながら造影剤撮像を行うときの全体の撮像シーケンスと、撮像中の画面の表示とを対応付ける時刻の関係を示す図。
【図１８】図１７の時刻（１）、時刻（２）における画面の表示例を示す図。
【図１９】図１７の時刻（３）、時刻（４）における画面の表示例を示す図。
【図２０】後期撮像の開始時刻に間に合うか否かの判定動作の一例を説明する図。
【図２１】患者の入れ替えに使用可能な時間の算出概念を説明する図。
【図２２】患者の入れ替えに使用可能な時間の表示例を説明する図。
【発明を実施するための形態】
【００１６】
以下、本発明の実施形態を添付図面に基づいて説明する。
【００１７】
（１）構成
図１は、本実施形態における磁気共鳴撮像装置１の全体構成を示すブロック図である。図１に示すように、磁気共鳴撮像装置１は、静磁場を形成する筒状の静磁場用磁石２２、静磁場用磁石２２の内側において軸を同じにして設けられた筒状のシムコイル２４、傾斜磁場コイル２６、送信用或いは受信用のＲＦコイル２８、制御系３０、被検体（患者）Ｐが乗せられる寝台３２等を備える。さらに、制御系３０は、静磁場電源４０、シムコイル電源４２、傾斜磁場電源４４、ＲＦ送信器４６、ＲＦ受信器４８、寝台駆動装置５０、シーケンスコントローラ５６、コンピュータ５８等を備えている。また、コンピュータ５８は、その内部構成として、演算装置６０、入力装置６２、表示装置６４、記憶装置６６等を有している。
【００１８】
静磁場用磁石２２は静磁場電源４０に接続され、静磁場電源４０から供給される電流により撮像空間に静磁場を形成させる。シムコイル２４はシムコイル電源４２に接続され、シムコイル電源４２から供給される電流により静磁場を均一化する。静磁場用磁石２２は、超伝導コイルで構成される場合が多く、励磁の際に静磁場電源４０に接続されて電流が供給されるが、一旦励磁された後は非接続状態とされるのが一般的である。なお、静磁場電源４０を設けずに、静磁場用磁石２２を永久磁石で構成してもよい。
【００１９】
傾斜磁場電源４４は、Ｘ軸傾斜磁場電源４４ｘ、Ｙ軸傾斜磁場電源４４ｙ、およびＺ軸傾斜磁場電源４４ｚとで構成されている。なお、図１においては、静磁場用磁石２２およびシムコイル２４の軸方向をＺ軸方向、鉛直方向をＹ軸方向、これらに直交する方向をＸ軸方向としている。
【００２０】
傾斜磁場コイル２６は、Ｘ軸傾斜磁場コイル２６ｘ、Ｙ軸傾斜磁場コイル２６ｙ、およびＺ軸傾斜磁場コイル２６ｚを有し、静磁場用磁石２２の内側で筒状に形成されている。Ｘ軸傾斜磁場コイル２６ｘ、Ｙ軸傾斜磁場コイル２６ｙ、およびＺ軸傾斜磁場コイル２６ｚはそれぞれ、Ｘ軸傾斜磁場電源４４ｘ、Ｙ軸傾斜磁場電源４４ｙ、Ｚ軸傾斜磁場電源４４ｚに接続されている。
【００２１】
各傾斜磁場電源４４ｘ、４４ｙ、４４ｚから傾斜磁場コイル２６ｘ、２６ｙ、２６ｚにそれぞれ供給される電流により、Ｘ軸、Ｙ軸、およびＺ軸方向の傾斜磁場Ｇｘ、Ｇｙ、Ｇｚが撮像空間にそれぞれ形成される。
【００２２】
装置座標系の３軸方向の傾斜磁場Ｇｘ、Ｇｙ、Ｇｚを合成して、論理軸としてのスライス方向傾斜磁場Ｇｓｓ、位相エンコード方向傾斜磁場Ｇｐｅ、および、読み出し方向（周波数エンコード方向）傾斜磁場Ｇｒｏの各方向を任意に設定できる。スライス方向、位相エンコード方向、および、読み出し方向の各傾斜磁場は、静磁場に重畳される。
【００２３】
ＲＦ送信器４６は、シーケンスコントローラ５６から入力される制御情報に基づいて、核磁気共鳴を起こすためのラーモア周波数のＲＦパルスを生成し、これを送信用のＲＦコイル２８に送信する。ＲＦコイル２８には、ＲＦパルスを送信すると共に被検体からの磁気共鳴信号（ＭＲ信号）を受信する送受信用全身コイル（ＷＢＣ：ｗｈｏｌｅ  ｂｏｄｙ  ｃｏｉｌ）や、寝台３２または被検体Ｐの近傍に設けられる受信専用のコイル（ローカルコイルとも呼ばれる）などがある。
【００２４】
ＲＦコイル２８で受信したＭＲ信号は、信号ケーブルを介してＲＦ受信器４８に供給される。
【００２５】
ＲＦ受信器４８は、受信したＭＲ信号に対して、前置増幅、中間周波変換、位相検波、低周波増幅、フィルタリングなどの各種の信号処理を施した後、Ａ／Ｄ（ａｎａｌｏｇ  ｔｏ  ｄｉｇｉｔａｌ）変換を施すことで、デジタル化された複素データである生データ（ｒａｗ  ｄａｔａ）を生成する。ＲＦ受信器４８は、生成したＭＲ信号の生データをシーケンスコントローラ５６に入力する。
【００２６】
シーケンスコントローラ５６は、コンピュータ５８の演算装置６０の制御に従って、設定されたパルスシーケンスを含む撮像条件に対応する傾斜磁場Ｇｘ、Ｇｙ，ＧｚおよびＲＦパルスを発生させる。また、シーケンスコントローラ５６は、これらの傾斜磁場Ｇｘ、Ｇｙ，ＧｚおよびＲＦパルスに応答して受信されたＭＲ信号を、生データ（ｒａｗ  ｄａｔａ）としてＲＦ受信器４８から入力し、演算装置６０に出力する。
【００２７】
演算装置６０は、プロセッサ等を備えて構成される。演算装置６０は、シーケンスコントローラ５６から入力した生データに対して、逆フーリエ変換等を含む再構成処理や各種の画像処理を行って被検体の画像データを生成する。生成された画像データは、表示装置６４に表示される。
【００２８】
また、演算装置６０は、ユーザ操作によって入力装置６２に入力された種々の設定情報に基づいて、各種のパルスシーケンスを含む撮像条件の設定や変更、造影剤撮像で用いる時間管理情報の設定や変更を行うほか、設定或いは変更された撮像条件や時間管理情報に基づいてシーケンスコントローラ５６を制御する。演算装置６０には、別途設けられる造影剤投入装置２００の制御信号が接続されている。
【００２９】
図２は、本実施形態の演算装置６０で実現される造影剤撮像管理制御部１００の機能ブロックの構成例を示す図である。図２に示す機能ブロックの夫々の機能は、演算装置６０のプロセッサが記憶装置６６に記憶されるプログラムコードを実行することによって実現してもよいし、ＡＳＩＣのようなハードウェアで実現してもよい。
【００３０】
本実施形態の造影剤撮像管理制御部１００は、撮像条件設定部１１１及び撮像開始時刻設定部１１２を有する設定部１１０、制御部１２０、判定部１３０、時間管理部１４０等を有して構成される。
【００３１】
撮像条件設定部１１１は、入力装置６２から入力される情報に基づいて、パルスシーケンスを含む各種撮像条件を設定する。撮像開始時刻設定部１１２は、造影剤の投入直後に行われる前期撮像の後、所定の空き時間を置いて行われる後期撮像の開始時刻を、造影剤の投入からの経過時間として設定する。時間管理部１４０は、造影剤投入時からの経過時間を計測し、管理する。
【００３２】
制御部１２０は、時間管理部１４０で計測した経過時間と、撮像開始時刻設定部１１２で設定して開示時刻とに基づいて後期撮像を開始するようにシーケンスコントローラ５６を制御する。また、制御部１２０は、撮像条件設定部１１１で設定した各種撮像条件に基づいてシーケンスコントローラ５６を制御する。
【００３３】
判定部１３０は、撮像条件設定部１１１で設定した撮像条件や、撮像開始時刻設定部１１２で設定する開始時刻等の妥当性を判定し、設定値が互いに矛盾する場合や実現困難な場合は、表示装置６４に警告表示する。例えば、前期撮像と後期撮像との間の空き時間に、これらとは異なる「他の撮像」を入れ込もうとするとき、「他の撮像」の撮像時間が空き時間よりも長い場合には実現困難であると計画段階において判定し、その旨の警告情報を表示装置６４に出力する。また、撮像の実行中においても、空き時間の間に組み込まれる「他の撮像」によって後期撮像の開始時刻が設定した開始時刻に間に合わなくなるような場合には、その判定を行い、その旨の警告情報を表示装置６４に出力する。
【００３４】
（２）造影剤撮像管理制御部の動作
前述したように、患者にガドリニウム系の造影剤を注入してダイナミック撮像を行う場合、造影剤投入後の比較的早い時期に複数回（例えば２回）撮像する早期相撮像（前期撮像）と、造影剤投入後から所定の時間後に撮像される後期相撮像（後期撮像）とが行われる。早期相撮像と後期相撮像との間には、通常２−３分程度の待ち時間（空き時間）が設けられる。本実施形態では、ダイナミック撮像における空き時間に、同一患者に対して計画されている「他の撮像」、例えは、上記ダイナミック撮像よりも高い解像度で撮像する他の撮像を組み込み、ダイナミック撮像と他の撮像とを、効率良く、かつ確実に遂行することができる手法を提供する。この撮像手法を以下、同一患者複合撮像と呼ぶ。
【００３５】
他方、近年開発されたプリモビスト系の造影剤を用いて肝細胞の診断を行う撮像では、造影剤を投入してからプリモビストが肝細胞に取り込まれるまでに２０分程度の長い待ち時間（空き時間）を必要とする。２０分の時間があれば、患者を交代させ、他の患者の撮像の全部或いは一部を行うことが可能である。プリモビスト系の造影剤を利用する撮像では、通常造影剤投入後の比較的早い時期に上述したダイナミック撮像が行われ、その後造影剤が肝細胞に取り込まれるのに要する約２０分程度の待ち時間を置いて、肝細胞造影相撮像が行われる。２０分の空き時間があれば、患者を入れ替えて他の患者の撮像を行うことも可能である。そこで、本実施形態では、ダイナミック撮像と肝細胞造影相撮像との間の空き時間に患者を入れ替えて、複数患者の造影撮像を効率よく、かつ確実に遂行できる手法も提供する。この撮像手法を以下、複数患者複合撮像と呼ぶ。
【００３６】
以下、同一患者複合撮像及び複数患者複合撮像について順に説明する。
【００３７】
（３）同一患者複合撮像
本実施形態の同一患者複合撮像について、その撮像を行うための撮像条件を設定する設定フェーズと、撮像を実行する実行フェーズに分けて説明する。
【００３８】
同一患者複合撮像の設定フェーズでは、ダイナミック撮像のシリーズを分割し、ダイナミック撮像の空き時間に「他の撮像」のシリーズを組み込む処理を行う。また、分割した各シリーズをグループ化する処理も行う。
【００３９】
図３（ａ）は、分割する前のダイナミック撮像シリーズ（シリーズ１０００）と、空き時間に組み込む前の他の撮像シリーズ（シリーズ２０００）の一例を示す図である。
【００４０】
ダイナミック撮像では、例えば、造影剤を投入する前に１分間のプリスキャンを行い、その後２５秒待って造影剤を投入する。そして、造影剤投入後、２０秒待って早期相（１）撮像と早期相（２）撮像を夫々１分間行う。その後、２分間の空き時間を設け、空き時間の後に後期相撮像を１分間行う。分割前では、これら一連の撮像を１つのシリーズ（シリーズ１０００）として設定している。同一患者複合撮像においては、空き時間より前に行われる早期相（１）撮像と早期相（２）撮像とを併せて前期撮像と呼び、空き時間より後に行われる後期相撮像を後期撮像と呼ぶ。
【００４１】
シリーズ２０００は、同一患者に対して計画される他の撮像のシリーズであり、この例では、シリーズ１０００よりも高解像で撮像する高解像度撮像がシリーズ２０００と指定されている。
【００４２】
従来の撮像方法では、シリーズ１０００を先に行って、シリーズ１０００の後期相撮像が終了した後に、シリーズ２０００の高解像度撮像を行う順序であった。それぞれのシーケンスの開始タイミングは、撮像開始手順を「手動」に設定した場合、シリーズ１０００の撮像を手動で開始し、シリーズ１０００の終了をユーザが確認して、その後、シリーズ２０００の撮像を手動で開始することになる。一方、撮像開始点順を「自動」に設定した場合は、シリーズ１０００の撮像開始は手動で行うものの、シリーズ１０００の撮像が終了すると、直ぐに自動的にシリーズ２０００の撮像が開始される。しかしながら、いずれの場合にも、シリーズ１０００の空き時間の間は何も撮像が行われず、患者はこの間、寝台の上でじっと待っているだけであった。
【００４３】
これに対して、本実施形態における同一患者複合撮像では、シリーズ１０００の分割を行うと共に、シリーズ２０００をシリーズ１０００の空き時間に組み込む処理を行う。このため、実効上、空き時間が無くなり、全体の撮像時間の短縮が可能となる。
【００４４】
図３（ｂ）は、シリーズ１０００を分割して得られる前期撮像のシリーズ（シリーズ１０００−１）と、後期撮像のシリーズ（シリーズ１０００−２）とを示す。また、シリーズ２０００も併せて示している。シリーズ１０００の分割方法は、種々のやり方が考えられるが、例えば、図３（ａ）に示すシリーズ１０００の配列を表示装置６４の一部に表示し、早期相（２）撮像と後期相撮像との間の領域（空き時間の領域）を入力装置６２のマウス等のポインタデバイスで指定してクリックする等の方法が考えられる。
【００４５】
一方、シリーズ２０００をシリーズ１０００の空き時間に組み込むには、分割した後期撮像のシリーズ１０００−２の撮像開始時刻と、シリーズ２０００の撮像開始時刻を夫々設定すればよい。このとき、シリーズ２０００の開始時刻を、分割した前期撮像シリーズ１０００−１の終了直後に設定し、後期撮像のシリーズ１０００−２の撮像開始時刻を、シリーズ２０００の終了直後に設定することで、分割前のシリーズ１０００の空き時間にシリーズ２０００の撮像を組み込むことができる。
【００４６】
シリーズ１０００の分割とシリーズ２０００の組み込み方法のより具体的な例を、表示装置６４の画面を参照して説明する。
【００４７】
図４は、表示装置６４の画面Ｗ１の表示例を示す図である。画面Ｗ１の左上には、これから検査しようとする、或いは現在検査中の検査と、検査対象である患者Ａを識別するための「検査・患者識別情報」領域Ｒ１が表示される。「検査・患者識別情報」領域Ｒ１の下には、複数患者複合撮像を行う際に使用される「交替患者情報」領域Ｒ２が設けられている。「交替患者情報」領域Ｒ２については後述する。
【００４８】
画面Ｗ１の左下には、検査対象の患者（この例では、患者Ａ）に対して設定する複数の撮像のシリーズに関する情報を表示、設定する「シリーズ情報」領域Ｒ３が設けられている。図４の例では、分割する前のシリーズ１０００と、シリーズ２０００に関する情報が「シリーズ情報」領域Ｒ３に表示されている。「シリーズ情報」領域Ｒ３には、横方向に、「シリーズ番号」欄、「ＳＣＡＮ  ＩＤ」欄、「パラメータ設定」欄、「撮像時間」欄、「造影剤投入基準の撮像開始時刻」欄、及び「手動開始」欄が設けられている。
【００４９】
「シリーズ番号」欄と「ＳＣＡＮ  ＩＤ」欄には、シリーズの番号と識別名が表示される。「パラメータ設定」欄は、複数のシリーズの中から１つのシリーズをクリック等で選択する欄であり、選択したシリーズにはチェックマーク「レ」が表示される。そして、選択したシリーズの撮像パラメータが、「シリーズ情報」領域Ｒ３の右側に設けられている「パラメータ情報」領域Ｒ４に表示される。
【００５０】
「シリーズ情報」領域Ｒ３の「撮像時間」欄には、各シリーズの撮像に要する時間が表示される。「造影剤投入基準の撮像開始時刻」欄は、造影剤投入時刻を基準（ゼロ秒）とした各シリーズの撮像開始時刻を設定し、表示する。「手動開始」欄は、各シリーズを独立に手動で開始するときに使用する。撮像開始モードを「手動」に設定しているとき、「手動開始」欄のボックスをクリックすると、該当するシリーズの撮像が手動で開始される。なお、撮像開始モードを「自動」に設定しているときは、「手動開始」欄に対する操作は無効となる。
【００５１】
画面Ｗ１の右下には、「パラメータ情報」領域Ｒ４が設けられており、前述したように、「パラメータ設定」欄のクリック等によって選択したシリーズの撮像パラメータが表示される。各撮像パラメータの値は、設定部１１０の撮像条件設定部１１１によってシリーズ毎に予め設定、記憶されており、その記憶された設定値が表示されるが、入力装置６２を介して、画面Ｗ１から各ボックスに数値を直接入力してもよいし、設定されている値「▲」ボタンや「▼」ボタンを用いて変更することもできる。
【００５２】
「交替患者情報」領域Ｒ２と「シリーズ情報」領域Ｒ３との間には、「撮像開始」ボタンＢ１、「造影剤投入開始」ボタンＢ２、「投入後の経過時間」表示欄Ｒ４０、「検査終了」表示欄Ｒ４１等が配置される。
【００５３】
撮像開始モードが「自動」に設定されているとき、「撮像開始」ボタンＢ１をクリックすることにより、「シリーズ情報」領域Ｒ３に設定されているシリーズが上から順に自動的に開始される。但し、「造影剤投入基準の撮像開始時刻」欄に開始時刻が設定されている場合は、その開始時刻の方が優先される。即ち、「撮像開始」ボタンＢ１をクリックすると、「造影剤投入基準の撮像開始時刻」欄に開始時刻が設定されていないシリーズに対しては上から順に撮像が開始され、「造影剤投入基準の撮像開始時刻」欄に開始時刻が設定されているシリーズに対しては、その開始時刻に従って撮像が開始される。総てのシリーズの撮像が終了すると、「検査終了」表示欄Ｒ４１がハイライト表示される。
【００５４】
「造影剤投入開始」ボタンＢ２は、本装置から造影剤投入装置２００（図１参照）に対して造影剤の投入を指示するボタンである。「造影剤投入開始」ボタンＢ２をクリックすると、造影剤投入装置２００から患者Ａに対して造影剤が投入され始めると共に、「投入後の経過時間」表示欄Ｒ４１に、患者Ａに対する造影剤投入後の経過時間が表示される。経過時間の計測は、時間管理部１４０（図２参照）で行う。
【００５５】
造影剤の投入開始の指示は造影剤投入装置２００から行うこともできる。この場合、造影剤投入開始を示す時刻情報或いはタイミング信号が造影剤投入装置２００から本装置１に送られ、その時刻情報或いはタイミング信号に基づいて時間管理部１４０が造影剤投入後の経過時間を計測し、画面Ｗ１の「投入後の経過時間」表示欄Ｒ４１に経過時間を表示する。
【００５６】
画面Ｗ１の右上には、多目的表示欄Ｒ５が設けられている。多目的表示欄Ｒ５には、患者Ａのスカウト画像（撮像部位を決定、或いは確認するための画像）や、各種設定に有用な情報などが表示される。図４の例では、シリーズ１０００を分割するときに役立つように、分割前のシリーズ１０００と、シリーズ２０００の模式的なグラフィックが表示されている。
【００５７】
シリーズ１０００を分割するときは、多目的表示欄Ｒ５に例示するように、シリーズ１０００の早期相（２）撮像と後期相撮像との間の領域（空き時間の領域）にポインタ（矢印）を入力装置６２のマウス等で設定し、その後マウスをクリックする。このような簡単な操作でシリーズ１０００を分割することができる。
【００５８】
図５（ａ）は、シリーズ１０００を分割した後の「シリーズ情報」領域Ｒ３の表示例を示す。シリーズ１０００は、前期撮像に対応するシリーズ１０００−１と、後期撮像に対応するシリーズ１０００−２に分割にされ、夫々の撮像時間（シリーズ１０００−１は３分４５秒、シリーズ１０００−２は１分）が自動的に「撮像時間」欄に表示される。なお、元のシリーズ１０００の２分間の空き時間は自動的に取り除かれる。なお、分割された各シリーズは、同一のグループに属するものとして認識される。
【００５９】
シリーズの分割が終了すると、次に、シリーズ２０００（患者Ａに対して行われる「他の撮像」）の撮像開始時刻と、シリーズ１０００−２（後期撮像）の撮像開始時刻とを設定する。
【００６０】
図５（ｂ）に示すように、シリーズ２０００を分割前のシリーズ１０００の空き時間に組み込むときには、シリーズ２０００の開始時刻を、分割した前期撮像シリーズ１０００−１の終了直後に設定し、後期撮像のシリーズ１０００−２の撮像開始時刻を、シリーズ２０００の終了後に設定することで、分割前のシリーズ１０００の空き時間にシリーズ２０００の撮像を組み込むことができる。
【００６１】
ここで、夫々の撮像開始時刻の基準は、シリーズ１０００−１の開始時刻ではなく、造影剤投入時刻を基準としている。周知のように、造影剤撮像では、造影剤投入時からどのタイミングで後期撮像を開始するかが非常に重要となる。そこで、本実施形態では、シリーズの撮像の開始時刻を、造影剤投入時刻を基準にするものとしている。
【００６２】
図５（ａ）、（ｂ）に示す例では、シリーズ２０００の「造影剤投入基準の撮像開始時刻」欄に、「２：２０」（２分２０秒）と設定することで、シリーズ２０００の開始時刻を分割した前期撮像シリーズ１０００−１の終了直後に設定している。一方、シリーズ１０００−２の「造影剤投入基準の撮像開始時刻」欄に、「４：２０」（４分２０秒）と設定することで、後期撮像（分割前のシリーズ１０００における後期相撮像）の撮像開始時刻を、造影剤投入から４分２０秒後に開始できる。この４分２０秒という経過時間は、分割前のダイナミック撮像（シリーズ１０００）において、当初計画していた造影剤の投入から後期相撮像を開始するまでの時間と同じ（図３（ａ）参照）ものである。
【００６３】
なお、図５（ｂ）と同様のグラフィックを画面Ｗ１の多目的表示欄Ｒ５に表示しても良い。この表示により、分割、組み込み後の撮像シーケンスの全体を容易に確認することができる。
【００６４】
上述したシリーズの分割処理と、他の撮像の組み込み処理は、設定部１１０の撮像開始時刻設定部１１２が行う。
【００６５】
上記のように、本実施形態に係る磁気共鳴撮像装置１では、ダイナミック撮像シリーズの空き時間に他の撮像のシリーズを簡単な操作で容易に組み込むことができる。
【００６６】
また、設定した撮像開始時刻は容易に変更することもできる。この場合、例えば、図６（ａ）に示すように、「造影剤投入基準の撮像開始時刻」欄の「▲」、「▼」ボタンをクリックすることにより、組み込んだシリーズ２０００の開始時刻や後期撮像シリーズ１０００−２の開始時刻を変更することができる。
【００６７】
また、本実施形態では、分割したシリーズの撮像（前期撮像と後期撮像）を１つのグループとして管理し、グループ内の任意の１つの撮像に対する撮像条件が変更された場合は、変更された撮像以外の撮像に対しても、撮像条件の変更を自動的に反映するものとしている。前述したように、ダイナミック撮像においては、撮像時期が早期相（１）、早期相（２）、後期相のように異なるものの、いずれも基本的に同じ撮像条件で撮像が行われる。したがって、分割後のある１つのシリーズの撮像条件を変更した場合、同一グループの他の撮像のシリーズに対してもその変更が自動的に反映されるようにすることで、他の撮像のシリーズの撮像条件をわざわざ変更する手間が省け、操作負担が軽減される。
【００６８】
図７はこのことを説明する図であり、例えば、シリーズ１０００−１の位相エンコード数を「１２８」から「２５６」に変更すると（図７（ａ）、（ｂ））、同一グループ内のシリーズ１０００−２の位相エンコード数も自動的に「１２８」から「２５６」に変更される様子を示している。
【００６９】
図８〜図１０は、本実施形態の撮像シーケンス設定の他の例を示す図である。図５（ａ）、図６（ａ）に示した「シリーズ情報」領域Ｒ３の表示例では、シリーズ１０００−１、シリーズ１０００−２、シリーズ２０００の順で表示している。この順序を変えて、図８（ａ）に示すように、分割後に設定された各シリーズの撮像開始時刻の順に「シリーズ情報」領域Ｒ３の配置を並べ換えても良い。
【００７０】
また、分割後のシリーズ番号の取り方も前述した、１０００−１、１０００−２のように基のシリーズ番号にハイフンでサブ番号を付加する方式に限定されるものではない。例えば、図８（ｂ）に例示したように、分割前がシリーズ１０００のとき、分割後のシリーズ番号を、夫々シリーズ１０００とシリーズ３０００とし、新たなシリーズ番号３０００に対しては、「シリーズ情報」領域Ｒ３の「元の番号」欄に元のシリーズ番号を表示するようにしてもよい。このような表示でも、分割後の各シリーズが同じグループに属することをユーザは直ちに認識することができる。
【００７１】
また、シリーズの分割数も上記のように２に限定されるものでなく、３以上の分割が可能である。図９は、シリーズ１０００を３つのシリーズ１０００−１、１０００−２、１０００−３に分割したときの「シリーズ情報」領域Ｒ３の表示例を示す図である。このような表示によって、１つのシリーズが３つに分割されたことが一目瞭然となり、また、分割後の各シリーズが同じグループに属することも容易に認識することができる。
【００７２】
この他、撮像開始時刻の設定モードを複数持ち、複数の設定モードの中からユーザが任意に選択できるようにしてもよい。例えば、撮像開始時刻の設定モードとして、「Scan Start」モードと「エンコード中心」モードの２つのモードを選択可能とする。図１０は、これら２つの撮像開始時刻設定モードを説明する図である。「Scan Start」モードが選択された場合には、造影剤投入から各シリーズのスタート位置（プレスキャンを含む撮像の場合は、プレスキャンを除いた本スキャンの撮像のスタート位置）までの時刻が撮像開始時刻として設定される。一方、「エンコード中心」モードが選択された場合には、造影剤投入から各シリーズ撮像における位相エンコードの中心位置までの時刻が撮像開始時刻として設定されることになる。
【００７３】
ところで、「他の撮像」をダイナミック撮像の空き時間に組み込もうとするとき、誤って、空き時間よりも撮像時間の長い「他の撮像」を組み込んでしまう可能性がある。例えば、図１１に示すように、「他の撮像」であるシリーズ２０００の開始時刻を前期撮像の直後に設定し（開始時刻を２：２０と設定し）、その一方で後期撮像のシリーズ１０００−２の開始時刻を４：２０と設定するとき、シリーズ２０００の撮像時間（例えば、２分４０秒）が空き時間（２分）より長いと、現実に他の撮像を組み込むことができない。
【００７４】
そこで、本実施形態の判定部１３０（図２参照）は、組み込もうとする「他の撮像」の撮像時間が空き時間よりも長いか否かを判定し、長いと判定した場合には、その旨を示す警告表示を表示装置６４に表示させる。
【００７５】
この警告表示を行う前に、他の撮像の撮像時間が空き時間よりも長い場合は、他の撮像の撮像時間が空き時間以下となるように、他の撮像の撮像条件のパラメータ値を自動調整するようにしても良い（図１１の下部参照）。この自動調整は、設定部１１０の撮像条件設定部１１１が行う。
【００７６】
このとき、自動調整するパラメータの種類を予め設定しておき、さらに調整するパラメータの種類の優先順位を予め決めておく。そして、調整するパラメータ値の下限値や上限値も予め設定しておくほうが好ましい。撮像条件設定部１１１は、他の撮像の撮像時間が空き時間以下となるように、優先順位の高いパラメータ種類からそのパラメータ値を前記下限値まで順次減少させていくことで、他の撮像の撮像時間が空き時間内に収まるように自動調整する。自動調整するパラメータの種類は、例えば、位相エンコード数等の解像度に関するパラメータ、ＦＯＶやスライス数等の撮像領域の大きさに関するパラメータ、励起パルス間隔、パラレルイイメージング（ＰＩ）を行う場合は、その低減係数（Reduction factor）等である。位相エンコード数、ＦＯＶ、スライス数、励起パルス間隔等はそのパラメータ値を減少させることで撮像時間が短縮される。また、ＰＩの低減係数は、そのパラメータ値を大きくすることで撮像時間が短縮される。
【００７７】
なお、パラメータ種類の総てのパラメータ値を下限値まで減少させても他の撮像の撮像時間が空き時間以下とならない場合は、その旨を示す警告表示を表示装置６４に表示させてもよい。
【００７８】
ここまでは、同一患者複合撮像の撮像条件、或いは撮像シーケンスを設定する設定フェーズについて説明してきたが、次に、同一患者複合撮像を実行する実行フェーズについて説明する。
【００７９】
図１２（ａ）、（ｂ）は、同一患者複合撮像の実行フェーズを説明する図である。上記のように設定されたシリーズ１０００−１、シリーズ２０００、及びシリーズ１０００−２は、「撮像開始」ボタンＢ１のクリックにより開始される。撮像開始モードが「自動」に設定されている場合は、「造影剤投入基準の撮像開始時刻」欄に開始時刻が設定されていないシリーズ１０００−１から開始される。
【００８０】
シリーズ１０００−１の実行途中で「造影剤投入開始」ボタンＢ２がクリックされ、この時点で造影剤の投入が開始される。そして、「投入後の経過時間」表示欄Ｒ４０に造影剤投入後の経過時間が表示される。図１２の例では、造影剤投入後の経過時間が１分３４秒であることが「１：３４」の表示によって示される。
【００８１】
従来の磁気共鳴撮像装置では、造影剤投入後の経過時間の表示がなく、ユーザは別途要したストップウォッチ等で経過時間を確認していたが、本実施形態では、造影剤撮像において非常に重要な項目である造影剤投入後の経過時間が常に表示されるため、撮像担当技師等のユーザは安心して撮像を継続することができる。
【００８２】
造影剤投入後の経過時間が、「他の撮像」シリーズ２０００に対して設定された造影剤投入基準の撮像開始時間である２分２０秒（２：２０）に達すると、シリーズ２０００の高解像撮像が自動的に開始される。シリーズ２０００の撮像は、開始後１分３０秒で自動的に終了する。造影剤投入後の経過時間がさらに進み、シリーズ１０００−２対して設定された造影剤投入基準の撮像開始時間である４分２０秒（４：２０）に達すると、シリーズ１０００−２の後期撮像が自動的に開始される。
【００８３】
シリーズ２０００やシリーズ１０００−２は、撮像開始時刻設定部１１２で設定された内容に基づいて、制御部１２０（図２参照）がシーケンスコントローラ５６を自動的に制御することで自動的に開始され、自動的に終了する。なお、撮像開始時刻以外の撮像条件に関しては、撮像条件設定部１１１で設定された内容に基づいて、制御部１２０がシーケンスコントローラを制御する。
【００８４】
このように、本実施形態に係る磁気共鳴撮像装置１では、シリーズの開始時期が造影剤投入後の経過時間を基準にして設定され、かつ設定された開始時刻に自動的に撮像を開始するように構成されているため、造影剤撮像を確実に、かつ高い時刻精度で遂行することができる。
【００８５】
なお、手動で撮像シーケンスを開始する場合等においては、計画した（設定した）撮像開始時刻と実際の撮像開始時刻とがずれる場合がある。このような場合、図１３に示すように、「シリーズ情報」領域Ｒ３の「造影剤投入基準の撮像開始時刻」欄の表示を、実際に撮像を開始した時刻に更新するようにしてもよい。図１３は、シリーズ１０００−２の設定時刻（計画時刻）の４：２０に対して実際の開始時刻４：２２となり、シリーズ２０００の設定時刻（計画時刻）の２：２０に対して実際の開始時刻が２：１４となったときの表示例を示す。
【００８６】
（４）複数患者複合撮像
ここまでは、同一患者に対するダイナミック撮像の空き時間に他の撮像を組み込む「同一患者複合撮像」について説明してきたが、次に、複数の患者を入れ替えながら造影剤撮像を行う「複数患者複合撮像」について説明する。
【００８７】
前述したように、近年開発されたプリモビスト系の造影剤を用いた肝細胞診断のための撮像では、造影剤を投入してからプリモビストが肝細胞に取り込まれるまでに２０分程度の長い待ち時間（空き時間）を必要とする。
【００８８】
図１４は、これまで行われてきたプリモビスト系造影剤撮像のシーケンスの一例を示す図である。プリモビスト系造影剤撮像においても、造影剤投入後の早い時期に、早期相撮像や後期相撮像を行うダイナミック撮像が行われる。そして、ダイナミック撮像の後、プリモビスト系造影剤が肝細胞に取り込まれるのに要する約２０分程度の待ち時間（空き時間）を置いて、肝細胞造影相撮像が行われる。
【００８９】
従来のプリモビスト系造影剤撮像では、約２０分の空き時間の間、患者は寝台でじっと次の肝細胞造影相撮像が開始されるのを待つ必要があり、患者の負担は大きなものがあった。また、約２０分の空き時間の間に他の患者に入れ替えて同様のプリモビスト系造影剤撮像を行う試みもなされてはいるものの、造影剤投入後の経過時間を適切に管理する手段が磁気共鳴撮像装置に設けられていなかった。このため、撮像を担当する技師等のユーザが、造影剤投入後の経過時間を患者毎にストップウォッチ等を用いて管理するというのが実態であった。
【００９０】
なお、以下に説明するプリモビスト系造影剤撮像では、通常造影剤投入後の比較的早い時期に行われるダイナミック撮像を前期撮像と呼び、図１４に示すように、シリーズ１０００の識別番号を持つものとする。また、約２０分の空き時間後に行われる肝細胞造影相撮像を後期撮像と呼び、シリーズ２０００の識別番号を持つものとする。
【００９１】
図１５は、複数の患者を入れ替えながらプリモビスト系造影剤撮像を行う例を説明する図であり、以下の説明では、３人の患者Ａ、患者Ｂ、患者Ｃが交代して撮像する例を示す。図１５に示すように、患者Ａの前期撮像が終了すると、撮像対象を患者Ａから患者Ｂに入れ替え、患者Ｂの前期撮像を行う。患者Ｂの前期撮像が終了すると、撮像対象を患者Ｂから患者Ｃに入れ替え、患者Ｃの前期撮像を行う。患者Ｃの前期撮像が終了すると、撮像対象を患者Ｃから患者Ａに戻し、患者Ａの後期撮像が行われる。
【００９２】
患者Ｂと患者Ｃの前期撮像は、患者Ａの空き時間に行われるため、空き時間の有効活用が図られ、３人の合計の撮像時間は、患者の入れ替えを行わなかった場合に比べると大幅に短縮される。プリモビスト系造影剤撮像においても、後期撮像の開始時間は非常に重要である。造影剤投入から後期撮像が開始されるまでの時間は、患者毎に対象のばらつきはあるものの、概ね２０分程度に設定される。そして、患者毎に設定された約２０分の待ち時間後、後期撮像は確実に開始される必要がある。
【００９３】
本実施形態に係る磁気共鳴撮像装置１では、以下に示すように、上記の複数患者複合撮像を確実に遂行するための手段を提供する。
【００９４】
複数患者複合撮像を行う場合、交替する複数の患者を予め磁気共鳴撮像装置１に登録してく。例えば、図１５に示すように、３人の患者Ａ、患者Ｂ、患者Ｃを交替させながら撮像する場合には、患者Ａ、患者Ｂ、患者Ｃを磁気共鳴撮像装置１に登録する。また、それぞれの患者に対する撮像条件等の設定を予め行っておく。
【００９５】
図１６は、患者Ａに対する撮像条件を設定する際の、画面Ｗ１の表示例であり、基本的には前述した同一患者複合撮像の場合と同じである。プリモビスト系造影剤撮像を行う場合は、「シリーズ情報」領域Ｒ３に、例えば、シリーズ１０００として前期撮像（ダイナミック撮像）を設定し、シリーズ２０００として後期撮像（肝細胞造影相撮像）を設定する。ここで、後期撮像（シリーズ２０００）の撮像開始時刻として、造影剤投入時を基準として、例えば、２２分（２２：００）と設定する。２２分という時間は、造影剤投入直後に行われるダイナミック撮像の２分（早期相、後期相の夫々１分の撮像）と、肝細胞造影相撮像までの２０分の待ち時間の合計時間である。また、シリーズ１０００とシリーズ２０００の夫々に対して予め設定してある撮像条件（パラメータ）を、「パラメータ情報」領域Ｒ４で確認し、必要に応じて変更する。
【００９６】
一方、「交替患者情報」領域Ｒ２には、登録した患者Ｂ、患者Ｃの画面に切り替えための「患者Ｂ」ボタンＢ２１と「患者Ｃ」ボタンＢ２２が設けられている。また、「交替患者情報」領域Ｒ２には、患者Ｂ及び患者Ｃに対する造影剤投入からの経過時間を表示する表示欄Ｒ２１及びＲ２３、造影剤投入時を基準とする後期撮像の開始時刻の表示欄Ｒ２２及びＲ２４が夫々設けられている。
【００９７】
登録した他の患者Ｂ、患者Ｃの画面に切り替える場合には、「交替患者情報」領域Ｒ２の「患者Ｂ」ボタンＢ２１、「患者Ｃ」ボタンＢ２２をクリックする。図１５に例示するように、患者Ｂ、患者Ｃに対しても、患者Ａと同様のプリモビスト系造影剤撮像を行う場合には、図１６と同様のシリーズの設定と撮像条件の設定を、患者Ｂと患者Ｃの画面に対して設定することになる。
【００９８】
本実施形態の磁気共鳴撮像装置１では、造影剤撮像における空き時間の間に他の患者に入れ替えて撮像する場合であっても、夫々の患者に対する造影剤の投入時からの経過時間と、夫々の患者に対する造影剤の投入時を基準とする前記後期撮像の開始時刻とを常に表示することを特徴とするものである。以下、この表示例を図１７−図１９を参照して説明する。図１７は、時刻（１）、時刻（２）、時刻（３）及び時刻（４）と、患者Ａ、患者Ｂ、患者Ｃの撮像のシーケンスの関係を示す図である。一方、図１８（ａ）、図１８（ｂ）、図１９（ａ）及び図１９（ｂ）は、時刻（１）、時刻（２）、時刻（３）及び時刻（４）の画面Ｗ１の表示を夫々示す。以下、時刻（１）、時刻（２）、時刻（３）及び時刻（４）の画面Ｗ１の表示例を説明する。
【００９９】
図１７の上段に示すように、まず、患者Ａに対して造影剤撮像の前期撮像を開始する。プリスキャンを行った後造影剤を投入する。図１８（ａ）は、造影剤投入後１分４０秒経過したときの時刻（１）における患者Ａに対する画面Ｗ１である。「投入後の経過時間」表示欄Ｒ４０には、患者Ａに対する造影剤投入後の経過時間として「１：４０」が表示されている。なお、患者Ｂ、患者Ｃに対しては時刻（１）では造影剤が投入されていないため、患者Ｂ及び患者Ｃに対する造影剤投入からの経過時間を表示する表示欄Ｒ２１及びＲ２３、造影剤投入時を基準とする後期撮像の開始時刻の表示欄Ｒ２２及びＲ２４は、いずれもブランクとなっている。
【０１００】
患者Ａに対する前期撮像が終了すると、磁気共鳴撮像装置１に横臥している患者Ａを患者Ｂに入れ替え、患者Ｂに対する造影剤撮像を開始する。なお、患者Ｂの造影剤撮像を開始する前に、「交替患者情報」領域Ｒ２の「患者Ｂ」ボタンＢ２１をクリックすることで、図１８（ｂ）に示すように、画面Ｗ１全体は患者Ａに対する画面から患者Ｂに対する画面Ｗ１に切り替わり、画面Ｗ１の左上の患者識別情報を示す表示は、患者Ａから患者Ｂに切り替わる。また、「交替患者情報」領域Ｒ２の「患者Ｂ」ボタンＢ２１の表示と、患者Ｂに対する造影剤投入からの経過時間を表示する表示欄Ｒ２１及び後期撮像の開始時刻の表示欄Ｒ２２は、「患者Ａ」ボタンＢ２３の表示と、患者Ａに対する造影剤投入からの経過時間を表示する表示欄Ｒ２５及び後期撮像の開始時刻の表示欄Ｒ２６に切り替わる。
【０１０１】
患者Ｂに対しても、患者Ａと同様に、プリスキャンを行った後造影剤を投入する。図１８（ｂ）は、造影剤投入後１分１０秒経過したときの時刻（２）における患者Ｂに対する画面Ｗ１である。「投入後の経過時間」表示欄Ｒ４０には、患者Ｂに対する造影剤投入後の経過時間として「１：１０」が表示されている。
【０１０２】
一方、時刻（２）においては、患者Ａに対して既に造影剤が投入されており、患者Ａに対する造影剤投入からの経過時間は、患者Ｂとは独立に時々刻々と進んでいる。例えば、時刻（２）における、患者Ａに対する造影剤投入からの経過時間は、図１７に示すように８分３０秒である。そこで、「交替患者情報」領域Ｒ２の患者Ａに対する造影剤投入からの経過時間を表示する表示欄Ｒ２５には、「８：３０」と表示される。また、表示欄Ｒ２５の隣の表示欄Ｒ２６には、患者Ａの造影剤投入時を基準とする患者Ａの後期撮像の開始時刻が「２２：００」と表示される。
【０１０３】
なお、時刻（２）においても、患者Ｃに対する造影剤は投入されていないため、表示欄Ｒ２３、Ｒ２４はブランクのままである。
【０１０４】
患者Ｂに対する前期撮像が終了すると、磁気共鳴撮像装置１に横臥している患者Ｂを患者Ｃに入れ替え、患者Ｃに対する造影剤撮像を開始する。なお、この場合にも、患者Ｃの造影剤撮像を開始する前に、「交替患者情報」領域Ｒ２の「患者Ｃ」ボタンＢ２２をクリックすることで、図１９（ａ）に示すように、画面Ｗ１全体は患者Ｂに対する画面から患者Ｃに対する画面Ｗ１に切り替わり、画面Ｗ１の左上の患者識別情報を示す表示は、患者Ｂから患者Ｃに切り替わる。また、「交替患者情報」領域Ｒ２の「患者Ｃ」ボタンＢ２２の表示と、患者Ｃに対する造影剤投入からの経過時間を表示する表示欄Ｒ２３及び後期撮像の開始時刻の表示欄Ｒ２４は、「患者Ｂ」ボタンＢ２１の表示と、患者Ｂに対する造影剤投入からの経過時間を表示する表示欄Ｒ２１及び後期撮像の開始時刻の表示欄Ｒ２２に切り替わる。
【０１０５】
患者Ｃに対しても、患者Ａ、患者Ｂと同様に、プリスキャンを行った後造影剤を投入する。図１９（ａ）は、造影剤投入後２０秒経過したときの時刻（３）における患者Ｃに対する画面Ｗ１である。「投入後の経過時間」表示欄Ｒ４０には、患者Ｃに対する造影剤投入後の経過時間として「０：２０」が表示されている。
【０１０６】
時刻（３）においては、登録されている総ての患者Ａ、患者Ｂ及び患者Ｃに対して造影剤が投入されている。例えば、図１７に示すように、時刻（３）における、患者Ａに対する造影剤投入からの経過時間は１５分２０秒であり、患者Ｂに対する造影剤投入からの経過時間は８分１５秒である。そこで、「交替患者情報」領域Ｒ２の患者Ａに対する造影剤投入からの経過時間を表示する表示欄Ｒ２５には、「１５：２０」と表示され、患者Ｂに対する造影剤投入からの経過時間を表示する表示欄Ｒ２１には、「８：１５」と表示される。また、患者Ａと患者Ｂの造影剤投入時を基準とする後期撮像の開始時刻の表示欄Ｒ２６、Ｒ２２には、いずれも「２２：００」と表示される。
【０１０７】
患者Ｃの前期撮像が終了すると、磁気共鳴撮像装置１の撮像は、患者Ｃから患者Ａに戻され、患者Ａの後期撮像が開始される。図１９（ｂ）は、患者Ａに対する時刻（４）での撮像中の画面Ｗ１である。時刻（４）では、患者Ａに対して造影剤を投入してから２３分０５秒経過しており、「投入後の経過時間」表示欄Ｒ４０には、患者Ａに対する造影剤投入後の経過時間として「２３：０５」が表示されている。
【０１０８】
一方、時刻（４）における、患者Ｂに対する造影剤投入からの経過時間は１９分３０秒であり、患者Ｃに対する造影剤投入からの経過時間は９分５秒であるため、「交替患者情報」領域Ｒ２の患者Ｂに対する造影剤投入からの経過時間を表示する表示欄Ｒ２１には、「１９：３０」と表示され、患者Ｃに対する造影剤投入からの経過時間を表示する表示欄Ｒ２３には、「９：０５」と表示される。
【０１０９】
上記のように、本実施形態に係る磁気共鳴撮像装置１では、複数の患者を交替させながら造影剤撮像を行うとき、現在撮像中の患者に対してだけでなく、交替した夫々の患者に対しても造影剤投入後の経過時間を画面Ｗ１の中に常に表示させるものとしている。このため、従来、ストップウォッチ等を用いて患者毎に経過時間を管理していた作業が不要となるばかりでなく、確実な時間管理が可能となる。
【０１１０】
また、各患者に対する造影剤投入後の経過時間の隣には、各患者の後期撮像の開始時刻がリミットとして表示される。このため、夫々の患者の後期撮像を開始するまでの残り時間を常に確認しながら、複数の患者に対する造影剤撮像を計画通りに進めることが可能となる。
【０１１１】
ところで、複数の患者を入れ替えて造影剤撮像を行う場合、患者の入れ替え時間が計画よりも長くかかってしまう等、計画通りに撮像が進まないことも考えられる。例えば、患者Ａ（第１の患者）の前期撮像後の空き時間に患者Ｂ（第２の患者）の前期撮像を行っているとき、患者Ａの後期撮像の開始時間が迫ってくる場合がある。
【０１１２】
そこで、本実施形態の磁気共鳴撮像装置１の一態様では、第１の患者の後期撮像の開始が、設定してある開始時刻に間に合うか否かを、第２の患者の前期撮像の実施中、或いは実施直後に磁気共鳴撮像装置１の判定部１３０が判定し、第１の患者の後期撮像の設定した開始時刻に間に合わないと判定された場合、その旨の警告表示を行うようにしている。
【０１１３】
図２０は、この実施態様の一例を示す図である。図２０の例では患者Ｂの撮像中に判定する場合（実線）と、撮像後に判定する場合（破線）とを示している。患者Ｂの撮像中に判定する場合には、患者Ｂの前期撮像の終了時刻を予測すると共に患者Ｂから患者Ｃへの交替に要する時間を想定し、患者Ｂの前期撮像後に患者Ｃの前期撮像を開始した場合、患者Ａの後期撮像の開始時刻に間に合うか否かを判定する。もし間に合わないと判定されると、その旨の警告表示を行う。
【０１１４】
一方、患者Ｂの撮像後に判定する場合は、例えば、患者Ｃの撮像画面Ｗ１に切り換えるための「患者Ｃ」ボタンＢ２２をクリックした時点で判定する。この時点で、患者Ａの後期撮像の開始時刻に間に合わないと判定されると、その旨の警告が画面Ｗ１の一部に表示される。技師はこの警告表示を確認し、患者Ｃの撮像を断念して患者Ａの撮像に移行することになる。
【０１１５】
また、第１の患者の前期撮像の後の空き時間に第２の患者の撮像を行っているとき、第１の患者の後期撮像を行うための患者入れ替えに使用できる時間がどの程度残されているかという情報も、撮像を管理する技師にとって非常に重要な情報である。
【０１１６】
そこで、本実施形態の一態様では、患者入れ替えに使用できる時間を算出し、表示するものとしている。図２１及び図２２は、この算出と表示の動作例を説明する図である。図２１及び図２２に示す例では、入れ替え後の患者（第２の患者：図２１、図２２の例では患者Ｃ）の前期撮像の終了予測時刻と、設定部で設定した前記第１の患者の後期撮像の開始時刻の差から、第２の患者（患者Ｃ）から第１の患者（患者Ａ）の入れ替えに使用可能な時間を算出し表示する。入れ替えに使用可能な時間は、例えば図２２に例示するように、「交替患者情報」領域Ｒ２の右端の表示欄Ｒ２７、Ｒ２８に表示される。例えば、患者Ｃの前期撮像終了後に患者Ａに入れ替える場合、その入れ替えに使用可能な時間は２分（「２：００」）と表示される。また、患者Ｃの前期撮像終了後に患者Ｂに入れ替える場合、その入れ替えに使用可能な時間は１５分３０秒（「１５：３０」）と表示される。
【０１１７】
算出した入れ替え使用可能時間が標準的な入れ替え時間よりも少ないと判定された場合は、その旨を示す警告表示を行う。例えば、患者Ａへの入れ替えに使用可能時間の２分が、標準的な入れ替え時間の３分よりも少ないと判定された場合は、入れ替えに使用可能時間を点滅させて警告する。この警告表示により、患者Ｃから患者Ａへの入れ替えを迅速に行い、患者Ａの後期撮像開始時刻に間に合わせることもできる。
【０１１８】
以上説明してきたように、本実施形態の磁気共鳴撮像装置１によれば、複数のシリーズの撮像、或いは複数の患者の撮像を組み合わせるための時間管理や撮像条件管理を効率よく、かつ確実に実施でき、造影剤撮像に伴う待ち時間（空き時間）を有効に利用することができる。この結果、全体としての撮像時間が短縮され、患者負担も低減することができる。
【０１１９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２０】
１  磁気共鳴撮像装置
６４  表示装置
１１０  設定部
１２０  制御部
１３０  判定部
１４０  時間管理部
【図１】
0005971684.tif 000002
【図２】
0005971684.tif 000003
【図３】
0005971684.tif 000004
【図４】
0005971684.tif 000005
【図５】
0005971684.tif 000006
【図６】
0005971684.tif 000007
【図７】
0005971684.tif 000008
【図８】
0005971684.tif 000009
【図９】
0005971684.tif 000010
【図１０】
0005971684.tif 000011
【図１１】
0005971684.tif 000012
【図１２】
0005971684.tif 000013
【図１３】
0005971684.tif 000014
【図１４】
0005971684.tif 000015
【図１５】
0005971684.tif 000016
【図１６】
0005971684.tif 000017
【図１７】
0005971684.tif 000018
【図１８】
0005971684.tif 000019
【図１９】
0005971684.tif 000020
【図２０】
0005971684.tif 000021
【図２１】
0005971684.tif 000022
【図２２】
0005971684.tif 000023